(57)【特許請求の範囲】
【請求項１】
検体と試薬を混合する反応容器と、
反応容器に挿入し、該反応容器洗浄後の洗浄液を吸引する吸引ノズルを備えた洗浄機構と、
該吸引ノズルに接続され前記吸引ノズル内を負圧にする吸引ポンプと、
前記吸引ノズルと前記吸引ポンプを接続する配管の間に設けられ、前記吸引ノズルと前記吸引ポンプを接続して該配管内を負圧にし、あるいは該配管内を大気開放するように切替える三方バルブと、を備えた自動分析装置において、
前記三方バルブの大気開放用ポートに、反応容器近傍に付着した液滴を吸引する吸引口が接続されていることを特徴とする自動分析装置。
【請求項２】
請求項１記載の自動分析装置において、
前記反応容器近傍に付着した液滴を受ける受け皿を備えたことを特徴とする自動分析装置。
【発明の詳細な説明】
【技術分野】
【０００１】
本発明は、血液，尿等の生体成分の定性・定量分析を行う自動分析装置に係り、特に試料，試薬の分注ノズルの洗浄，乾燥機構を備えた自動分析装置に関する。
【背景技術】
【０００２】
血液や尿などの生体試料中の無機イオン，タンパク，含窒素成分，糖，脂質，酵素，ホルモン，薬物，特定の抗原，抗体などの成分の定性・定量分析を行うため自動分析装置が使用される。この自動分析装置は従来、人がカラーチャート等を用いて行っていた分析を自動化したもので、迅速、かつ再現性の良い分析ができるため、大病院、検査センタを中心に普及している。
【０００３】
自動分析装置は検体に分析成分と反応して化学変化を起こす試薬を分注用ノズルで分注後、攪拌機構により攪拌させ化学変化の程度を光度計等を利用して分析するのものである。分注後に分注用ノズルは、ノズル洗浄部へ移動し洗浄される。分注用ノズルによる分注動作時または攪拌機構による攪拌後の反応容器外への液滴飛散は、隣接する反応容器への混入・反応容器周囲への付着の虞があった。このため液滴飛散受け板等を反応容器上部に設けたものであったが、積極的に液滴を除去するものではないため、液滴残存の懸念があった。また、分注は相応の圧力で液体を注入するプロセスであるので、液体の一部がエアロゾル化して装置を汚染する虞があった。この問題を解決するため特許文献１では簡単な構成で有効にエアロゾルを吸引できる手段を備えた自動分析装置が開示されている。
【０００４】
【特許文献１】特開平６−１８５３０号公報
【発明の開示】
【発明が解決しようとする課題】
【０００５】
検体または試薬の採取時は、検体または試薬にノズルを浸し、シリンジなどの吸引手段によって分注用ノズルに吸引される。そして、検体または試薬を吸引した分注用ノズルは、反応容器へ移動し分注される。分注用ノズルが水平移動する際の起動，停止時には相応の加速度がノズルに発生するが、ノズルは細長い管であるため、水平移動開始時、または停止時にノズル外壁に付着した検体または試薬が反応容器周囲に飛散する可能性がある。また、攪拌機構による攪拌時の反応液混合の際に反応容器外へ反応液飛散した場合は、隣接する反応容器への混入する可能性があり、分析データへの悪影響となる可能性があった。
【０００６】
本発明の目的は、反応容器周囲へ飛散した液滴を吸引・除去できる機能を備えた自動分析装置を提供することにある。
【課題を解決するための手段】
【０００７】
上記目的を達成するための本発明の構成は以下の通りである。
【０００８】
検体と試薬を混合する反応容器と反応容器を洗浄する洗浄機構と洗浄後の洗浄液を真空吸引するための真空吸引配管と真空吸引するための真空吸引ポンプと前記真空吸引配管と真空吸引ポンプの間に設けられた洗浄液と真空吸引エアーとを分離する真空吸引ビンと真空吸引切替え三方バルブとを備えた自動分析装置。真空吸引切替え三方バルブには、真空吸引配管内を大気開放にするための大気開放ポートが備えられている。その大気開放ポートに接続された液滴吸引配管は、反応容器周囲の飛散する部位に設けられている。その部位には飛散した液滴を溜める受皿が設けられ受皿より液滴吸引配管にて液滴が吸引・除去できる構造となっていても良い。受皿にはフィルタが備えられていても良い。
【発明の効果】
【０００９】
本発明は、以下のような効果がある。反応容器周囲への飛散した液滴を吸引することができるため、分析結果の信頼性及び安定した分析結果が得られることになる。また、操作者等の二次感染・周辺部位の汚染防止されるだけでなく分析装置上面の汚れが少なくなり装置の美観を保つことができる。
【発明を実施するための最良の形態】
【００１０】
本発明を図面を用いて詳細に説明する。図１は本発明を適用した自動分析装置の概略図である。反応ディスク１，試薬格納部２，検体格納部３，試薬サンプリング機構４，検体サンプリング機構５，光度計６，反応槽７，洗浄機構８，ノズル洗浄乾燥機構９，制御部１０から構成されている。反応ディスク１には検体と試薬を混合攪拌させる反応容器１１が複数架設されており、反応ディスク駆動部１２の回転停止動作により反応容器１１を一定サイクルで繰り返し移送する。試薬格納部２には試薬を入れた試薬容器１３が複数架設されている。検体格納部３には検体を入れた検体容器１４が複数架設されている。試薬サンプリング機構４は反応ディスク１と試薬格納部２間を直線移動し分注用ノズル１５により試薬を反応容器１１へ分注する。検体サンプリング機構５は反応ディスク１と検体格納部３間を回転移動し分注用ノズル１５により検体を反応容器１１へ分注する。光度計６では攪拌された検体と試薬の吸光度を測定し検体の分析が行われる。反応槽７には一定温度の反応槽水が循環している。洗浄機構８には分析後の反応容器１１内の洗浄を行う。ノズル洗浄乾燥機構９は試薬あるいは検体を分注後に分注用ノズル１５の洗浄・真空乾燥を行う。図２は、自動分析装置流路系統概略図である。反応容器１１を洗浄する洗浄機構１６と洗浄後の洗浄液を真空吸引する真空吸引ポンプと前記洗浄機構１６と真空吸引ポンプ
１７の間には真空吸引配管１８と真空吸引ビン１９と三方バルブ２０と真空タンク２１が設けてある。真空吸引ビン１９には、ドレン排出バルブ２２と真空タンクにはドレンコック２３が設けてある。真空吸引ポンプ１７からの外部排出エアーはフィルタ２４を通して排出される。真空タンク２１内は、一定の真空圧（負圧）が保たれるよう真空吸引ポンプ１７で吸引・制御されている。反応容器１１内の洗浄後の洗浄液を吸引する場合、三方バルブ２０ポートＡとＢが開き洗浄機構１６により吸引され真空吸引ビン１９に溜められる。吸引完了後三方バルブ２０ポートＡとＣが開き洗浄機構１６と三方バルブ２０間が大気開放状態となり、ドレン排出バルブ２２の開放によりドレンが排出される。この時、図３に示すように三方バルブ２０ポートＡとＣの圧力差を利用しポートＣに接続された液滴吸引配管２５を介して反応容器上部の受け皿２６に飛散した液滴を吸引・除去する。吸引された液滴は、真空吸引ビン１９に溜められる。真空吸引ビンまで至らず途中の配管内に留まった液滴は、次回の真空吸引時に真空タンク２１内に溜められ定期的メンテナンスによりドレンコック２３により排出する。
【図面の簡単な説明】
【００１１】
【図１】実施例に係る本発明が適用される自動分析装置の概略図である。
【図２】自動分析装置流路系統概略図である。
【図３】本発明を適用した自動分析装置流路系統概略図である。
【符号の説明】
【００１２】
１…反応ディスク、２…試薬格納部、３…検体格納部、４…試薬サンプリング機構、５…検体サンプリング機構、６…光度計、７…反応槽、８，１６…洗浄機構、９…ノズル洗浄乾燥機構、１０…制御部、１１…反応容器、１２…反応ディスク駆動部、１３…試薬容器、１４…検体容器、１５…分注用ノズル、１７…真空吸引ポンプ、１８…真空吸引配管、１９…真空吸引ビン、２０…三方バルブ、２１…真空タンク、２２…ドレン排出バルブ、２３…ドレンコック、２４…エアーフィルタ、２５…液滴吸引配管、２６…受け皿。
【図１】
0004576340.tif 000002
【図２】
0004576340.tif 000003
【図３】
0004576340.tif 000004